(57)【要約】      （修正有）【課題】盤内機器等のメンテナンスや取り付け作業を容易にした。【解決手段】閉鎖配電盤本体１１ａ〜１１ｄは並列接続され、かつ盤本体１１ａ〜１１ｄの並列方向の中央部には、Ｕ字形状の点検用通路１２が形成される。その点検用通路１２のＵ字形状内部の途中には、段部１３が形成されるとともに、Ｕ字形状の底部は、ほぼ平坦に形成されて、保守点検員の歩行が容易となるように構成されている。【選択図】図１
2010063194.tif 000002
【特許請求の範囲】
【請求項１】
内部に各種電気機器が収納配設された１〜ｎ個の盤本体を複数並列配設し、これら盤本体の並列方向の中央部に点検用通路を、盤本体と一体的に形成したことを特徴とする閉鎖配電盤。
【請求項２】
前記点検用通路は、Ｕ字形状に形成されると共に、Ｕ字形状の底部は、ほぼ平坦に構成されたことを特徴とする請求項１に記載の閉鎖配電盤。
【請求項３】
前記点検用通路の前記版本体の側面部には、扉を設け、その通路への入出は扉の開閉により行うことを特徴とする請求項１または２に記載の閉鎖配電盤。
【請求項４】
前記点検用通路内には、アークガス放出口とその放出口にアークガスを上方に向けて噴出させるアークガス放出用ダクトを設置したことを特徴とする請求項１〜３のいずれか１項に記載の閉鎖配電盤。
【請求項５】
前記アークガス放出用ダクトは、前記アークガス放出口に脱着可能としたことを特徴とする請求項４に記載の閉鎖配電盤。
【発明の詳細な説明】
【技術分野】
【０００１】
本発明は、閉鎖配電盤に関するものである。
【背景技術】
【０００２】
閉鎖配電盤内には、遮断器、断路器などの電力用開閉器、変成器、母線や接続導体などの電気機器が収納されている。これら機器は、保守点検を行うため、通常、閉鎖配電盤の背面扉を開いて行っている。このため、配電盤内の奥まった位置に収納配置されてある機器は、背面扉を開放しても他の機器が配置されてある関係から保守点検作業が円滑にできないことがある。
【０００３】
図６は、直流電気鉄道用の主回路構成図で、図６において、ＴＲは整流器用変圧器、ＲＦは整流器である。この整流器ＲＦで整流された直流電力は、開閉器８９Ｐを介して正母線Ｐ−ＢＵＳに供給された後、高速遮断器５４Ｆ11〜５４Ｆ14を介して架線Ｗ１〜Ｗ４に供給される。
【０００４】
Ｚ−ＢＵＳは迂回母線で、この母線Ｚ−ＢＵＳには、何らかの原因で高速遮断器５４Ｆ11〜５４Ｆ14が故障したときに、正母線Ｐ−ＢＵＳに接続された共用遮断器５４ＦＺを介して前記直流電力が供給され、この直流電力が開閉器８９Ｚ11〜８９Ｚ14を介して架線Ｗ１〜Ｗ４に供給されて、電気車への停電を防止する機能を備えたものである。
【０００５】
なお、図中、ＤＣＣＴは直流変流器、ＤＳは断路器、ＬＡは避雷器であり、また、図中一点鎖線で囲んだ部分は、それぞれ閉鎖配電盤として構成される。さらに、ＲＡはレールで、このレールＲＡには、整流器ＲＦの負極Ｎが開閉器８９Ｎを介して接続される。
【０００６】
上記のように構成された直流電気鉄道の主回路で使用される電気機器などを閉鎖配電盤内に収納する際、配電盤が比較的小型に構成されるために、正母線Ｐ−ＢＵＳ、迂回母線Ｚ−ＢＵＳ、高速遮断器５４Ｆ11〜５４Ｆ14、開閉器８９Ｚ11〜８９Ｚ14を無理やりに盤内に収納するため、後日の保守点検作業が困難になっていた。そこで、このような不具合を解消するために、閉鎖配電盤内外に保守点検用の空間や通路を構成したものが案出されている（特許文献１，２参照。）。
【特許文献１】特開２００３−１７４７０７号公報
【特許文献２】特公平１−５６６０４号公報
【発明の開示】
【発明が解決しようとする課題】
【０００７】
上記のように、閉鎖配電盤の内部に点検用の空間や通路を設けると、配電盤を大型化する必要があり、また、閉鎖配電盤の背面扉を一定間隔隔てて点検用通路とすることは、設置面積が大きくなってしまう問題もある。さらに、閉鎖配電盤は、列盤構成を採るため、正母線、迂回母線は、盤外側から手の届く範囲内に無理やり配置しているために、盤構造上の大きな障害になってしまう問題もある。
【０００８】
本発明の目的は、上記の事情に鑑みてなされたもので、盤内機器等のメンテナンスや取り付け作業を容易にした閉鎖配電盤を提供することにある。
【課題を解決するための手段】
【０００９】
上記の課題を達成するために、請求項１に係る発明は、内部に各種電気機器が収納配設された１〜ｎ個の盤本体を複数並列配設し、これら盤本体の並列方向の中央部に点検用通路を、盤本体と一体的に形成したものである。
【００１０】
請求項２に係る発明は、請求項１において、前記点検用通路は、Ｕ字形状に形成されると共に、Ｕ字形状の底部は、ほぼ平坦に構成されたものである。
【００１１】
請求項３に係る発明は、請求項１または２において、前記点検用通路の前記盤本体の側面部には、扉を設け、その通路への入出は扉の開閉により行うことを特徴とするものである。
【００１２】
請求項４に係る発明は、請求項１〜３のいずれか１項において、前記点検用通路内には、アークガス放出口とその放出口にアークガスを上方に向けて噴出させるアークガス放出用ダクトを設置したことを特徴とするものである。
【００１３】
請求項５に係る発明は、請求項４において、前記アークガス放出用ダクトは、前記アークガス放出口に脱着可能としたことを特徴とするものである。
【発明の効果】
【００１４】
本発明によれば、点検用通路を形成した閉鎖配電盤に構成したことにより、各種電気機器や母線等を盤本体内に取り付けたり、設置したりする作業性が向上し、また、各種機器の保守点検等も容易に行なうことができる利点がある。
【００１５】
さらに、本発明によれば、アークガスを上方に向けて噴出させるので、盤の周辺の人や構造物に影響を与えないため、安全性が向上し、また、通常時には通行しない点検用通路にアークガス放出用ダクトを設置することができるので、設置効率が高くなる利点がある。この他、点検時には、アークガス放出用ダクトを取り外すことができるので、点検時の通行には支障を生じない利点がある。
【発明を実施するための最良の形態】
【００１６】
以下本発明の実施の形態を図面に基づいて説明する。図１は本発明の実施の形態１を示す概略的な斜視図で、この実施の形態１では、４面列盤の場合を示している。
【００１７】
図１において、閉鎖配電盤本体（以下盤本体と称す）１１ａ〜１１ｄは並列接続され、かつ盤本体１１ａ〜１１ｄの並列方向の中央部には、Ｕ字形状の点検用通路１２が形成される。
【００１８】
その点検用通路１２のＵ字形状内側の下部には、段部１３が形成されるとともに、Ｕ字形状の底部は、ほぼ平坦に形成されて、保守点検員の歩行が容易となるように構成されている。なお、図１において、図示右側が盤本体の背面側になる。
【００１９】
図１に示すように構成された盤本体１１ａ〜１１ｄは、図６に一点鎖線で示した
閉鎖配電盤に相当し、盤本体１１ａ〜１１ｄには、図６に示す正母線Ｐ−ＢＵＳ、迂回母線Ｚ−ＢＵＳ、高速遮断器５４Ｆ11、開閉器８９Ｚ11などが収納配置される。
【００２０】
図２は本発明の実施の形態２を示す構成図で、この実施の形態２は、前記点検用通路１２に扉１４を設けたときのもので、図２では、扉１４を盤本体１１ａの側面部に設けたが、扉１４は盤本体１１ｄ側の側面部にも設けられる。なお、１４ａはヒンジ、１４ｂは取手である。
【００２１】
図３（Ａ）（Ｂ）は盤本体１１ａの内部を示す側面図及び背面図で、図３（Ａ）において、Ｐ−ＢＵＳは正母線、５４Ｆ11は高速遮断器、ＤＣＣＴは直流変流器、Ｚ−ＢＵＳは迂回母線、８９Ｚ11は開閉器、ＤＳは断路器、ＬＡは避雷器であり、外部ケーブル３１は架線Ｗ１に接続される。
【００２２】
３２は高速遮断器５４Ｆ11の遮断時に発生するアークガスを盤本体１１ａ〜１１ｄの点検用通路１２側に穿設されたアークガス放出口３０に脱着可能に設けられたアークガス放出用ダクトである。
【００２３】
このアークガス放出用ダクト３２は、アークガスを盤本体１１ａ〜１１ｄの上方に噴出させるように構成され、このアークガス放出用ダクト３２は上記のように点検用通路１２に配設される。アークガスは、盤本体１１ａ〜１１ｄの上方に噴出させるので、盤本体１１ａ〜１１ｄの周辺の人員や構造物に影響を及ぼさないため、安全性が高まる。また、点検用通路１２のスペースにアークガス放出用ダクト３２を設置させるので、設置効率が高くなる。
【００２４】
さらに、上記アークガス放出用ダクト３２は、脱着可能に構成されているので、保守点検時にはアークガス放出用ダクト３２は取り外されるので、保守点検時の通行に支障を与えない利点がある。
【００２５】
図４（Ａ）（Ｂ）はアークガス放出用ダクト３２を点検用通路１２から取り外したときの側面図と取り外したアークガス放出用ダクトの斜視図である。アークガス放出用ダクト３２を取り外すことにより、点検用通路１２を保守点検員が容易に移動可能になり、点検用通路側の板体３３を取り外して、盤本体内の点検が容易にできるようになる。勿論、盤本体内に電気機器などを取り付ける際も容易にできるようになる。
【００２６】
図５は本発明の実施の形態３を示す斜視図で、この実施の形態３は、点検用通路１２の内側に断部１３を形成しないように点検用通路１２ａを構成したもので、このように点検用通路１２ａを構成することにより、保守点検がより円滑にできるようになる。
【図面の簡単な説明】
【００２７】
【図１】本発明の実施の形態１を示す概略的な斜視図。
【図２】本発明の実施の形態２を示す構成図。
【図３】盤本体の内部を示す側面図及び背面図。
【図４】アークガス放出用ダクトを点検用通路から取り外したときの側面図と取り外したアークガス放出用ダクトの斜視図。
【図５】本発明の実施の形態３を示す斜視図。
【図６】直流電気鉄道用の主回路構成図。
【符号の説明】
【００２８】
１１ａ〜１１ｄ…閉鎖配電盤本体
１２…点検用通路
１３…断部
１４…扉
３０…アークガス放出口
３２…アークガス放出用ダクト
【図１】
2010063194.tif 000003
【図２】
2010063194.tif 000004
【図３】
2010063194.tif 000005
【図４】
2010063194.tif 000006
【図５】
2010063194.tif 000007
【図６】
2010063194.tif 000008